(57)【要約】【課題】挿入作業性を向上させつつがたつきを抑えること。【解決手段】収容対象物２０を収容箱１０の収容完了位置で係止する係止機構３０は、第１及び第２の係止体３１，３２と、互いに案内し合う第１及び第２のガイドレール３３，３４並びに第３及び第４のガイドレール３５，３６と、を備え、第１及び第３のガイドレールは、挿入方向に延在し且つ挿入方向に向かうに連れて間の第１係止体側に傾斜させたガイド面３３ａ，３５ａを各々有し、第２及び第４のガイドレールは、挿入方向に延在し且つ挿入方向に向かうに連れて間の第２係止体側に傾斜させたガイド面３４ａ，３６ａを各々有し、ガイド面３３ａ，３４ａ及びガイド面３５ａ，３６ａは、収容完了位置のときに互いに平行状態で対向配置されるように形成し、全てのガイド面は、金型の抜き勾配よりも大きく、かつ、対となるガイドレール同士の案内動作が可能な最大傾斜角度以下の傾斜角度θで傾斜させること。【選択図】図７
2019068636.tif 000002
【特許請求の範囲】
【請求項１】
収容対象物を収容箱の収容完了位置で係止する係止機構を備え、
前記係止機構は、前記収容対象物が前記収容完了位置のときに互いに係止し合うことで前記収容対象物と前記収容箱との間の抜去方向の動きを係止する第１及び第２の係止体と、前記第１及び第２の係止体が互いに係止可能な位置に到達するまで前記収容対象物の前記収容箱への挿入方向に沿って互いに案内し合う第１及び第２のガイドレールと、前記第１及び第２の係止体が互いに係止可能な位置に到達するまで前記挿入方向に沿って互いに案内し合う第３及び第４のガイドレールと、を備え、
前記第１及び第３のガイドレールは、前記挿入方向に対する直交方向で前記第１係止体を間に介在させるように配置すると共に、前記挿入方向に延在し且つ前記挿入方向に向かうに連れて前記第１係止体側に傾斜させたガイド面を各々有し、
前記第２及び第４のガイドレールは、前記挿入方向に対する直交方向で前記第２係止体を間に介在させるように配置すると共に、前記挿入方向に延在し且つ前記挿入方向に向かうに連れて前記第２係止体側に傾斜させたガイド面を各々有し、
前記第１及び第２のガイドレールのそれぞれの前記ガイド面は、前記収容対象物が前記収容完了位置のときに互いに平行状態で対向配置されるように形成し、
前記第３及び第４のガイドレールのそれぞれの前記ガイド面は、前記収容対象物が前記収容完了位置のときに互いに平行状態で対向配置されるように形成し、
全ての前記ガイド面は、前記第１及び第２の係止体並びに前記第１から第４のガイドレールにおける金型の抜き勾配よりも大きく、かつ、対となる前記ガイドレール同士の案内動作が可能な最大傾斜角度以下の傾斜角度で傾斜させることを特徴とした収容対象物の接続構造。
【請求項２】
前記第２ガイドレールの前記ガイド面と前記第４ガイドレールの前記ガイド面の間には、前記第１係止体並びに前記第１及び第３のガイドレールが挿入される挿入口を形成し、
全ての前記ガイド面の傾斜角度は、更に、前記収容対象物が前記収容完了位置のときの前記第１及び第２のガイドレールの前記ガイド面同士の隙間と前記第３及び第４のガイドレールの前記ガイド面同士の隙間の合計値が０．６ｍｍ以上で、かつ、前記第２及び第４のガイドレールにおけるそれぞれの前記ガイド面の前記挿入口での間隔と前記挿入口に到達した前記第１及び第３のガイドレールにおけるそれぞれの前記ガイド面の前記挿入口での間隔との差が２ｍｍ以下となる大きさに設定することを特徴とした請求項１に記載の収容対象物の接続構造。
【請求項３】
全ての前記ガイド面の傾斜角度は、３度以上、１５度以下の範囲内で設定することを特徴とした請求項１に記載の収容対象物の接続構造。
【請求項４】
収容対象物と、
前記収容対象物を収容する収容箱と、
前記収容対象物を前記収容箱の収容完了位置で係止する係止機構と、
を備え、
前記収容対象物は、前記収容箱の内部で電線の一端側に電気的に接続される電子部品又は前記電子部品を収容及び保持する電子部品保持体であり、
前記係止機構は、前記収容対象物が前記収容完了位置のときに互いに係止し合うことで前記収容対象物と前記収容箱との間の抜去方向の動きを係止する第１及び第２の係止体と、前記第１及び第２の係止体が互いに係止可能な位置に到達するまで前記収容対象物の前記収容箱への挿入方向に沿って互いに案内し合う第１及び第２のガイドレールと、前記第１及び第２の係止体が互いに係止可能な位置に到達するまで前記挿入方向に沿って互いに案内し合う第３及び第４のガイドレールと、を備え、
前記第１及び第３のガイドレールは、前記挿入方向に対する直交方向で前記第１係止体を間に介在させるように配置すると共に、前記挿入方向に延在し且つ前記挿入方向に向かうに連れて前記第１係止体側に傾斜させたガイド面を各々有し、
前記第２及び第４のガイドレールは、前記挿入方向に対する直交方向で前記第２係止体を間に介在させるように配置すると共に、前記挿入方向に延在し且つ前記挿入方向に向かうに連れて前記第２係止体側に傾斜させたガイド面を各々有し、
前記第１及び第２のガイドレールのそれぞれの前記ガイド面は、前記収容対象物が前記収容完了位置のときに互いに平行状態で対向配置されるように形成し、
前記第３及び第４のガイドレールのそれぞれの前記ガイド面は、前記収容対象物が前記収容完了位置のときに互いに平行状態で対向配置されるように形成し、
全ての前記ガイド面は、前記第１及び第２の係止体並びに前記第１から第４のガイドレールにおける金型の抜き勾配よりも大きく、かつ、対となる前記ガイドレール同士の案内動作が可能な最大傾斜角度以下の傾斜角度で傾斜させることを特徴とした電気接続箱。
【請求項５】
電線と、
収容対象物と、
前記収容対象物及び前記電線の一端側を内部に収容すると共に前記電線の他端側を外部に引き出す収容箱と、
前記収容対象物を前記収容箱の収容完了位置で係止する係止機構と、
を備え、
前記収容対象物は、前記収容箱の内部で前記電線の一端側に電気的に接続される電子部品又は前記電子部品を収容及び保持する電子部品保持体であり、
前記係止機構は、前記収容対象物が前記収容完了位置のときに互いに係止し合うことで前記収容対象物と前記収容箱との間の抜去方向の動きを係止する第１及び第２の係止体と、前記第１及び第２の係止体が互いに係止可能な位置に到達するまで前記収容対象物の前記収容箱への挿入方向に沿って互いに案内し合う第１及び第２のガイドレールと、前記第１及び第２の係止体が互いに係止可能な位置に到達するまで前記挿入方向に沿って互いに案内し合う第３及び第４のガイドレールと、を備え、
前記第１及び第３のガイドレールは、前記挿入方向に対する直交方向で前記第１係止体を間に介在させるように配置すると共に、前記挿入方向に延在し且つ前記挿入方向に向かうに連れて前記第１係止体側に傾斜させたガイド面を各々有し、
前記第２及び第４のガイドレールは、前記挿入方向に対する直交方向で前記第２係止体を間に介在させるように配置すると共に、前記挿入方向に延在し且つ前記挿入方向に向かうに連れて前記第２係止体側に傾斜させたガイド面を各々有し、
前記第１及び第２のガイドレールのそれぞれの前記ガイド面は、前記収容対象物が前記収容完了位置のときに互いに平行状態で対向配置されるように形成し、
前記第３及び第４のガイドレールのそれぞれの前記ガイド面は、前記収容対象物が前記収容完了位置のときに互いに平行状態で対向配置されるように形成し、
全ての前記ガイド面は、前記第１及び第２の係止体並びに前記第１から第４のガイドレールにおける金型の抜き勾配よりも大きく、かつ、対となる前記ガイドレール同士の案内動作が可能な最大傾斜角度以下の傾斜角度で傾斜させることを特徴としたワイヤハーネス。
【発明の詳細な説明】
【技術分野】
【０００１】
本発明は、収容対象物の接続構造、電気接続箱及びワイヤハーネスに関する。
【背景技術】
【０００２】
従来、収容対象物と収容箱とを接続するための接続構造が知られている。その接続構造は、挿入された収容対象物を収容箱の収容完了位置で係止させる係止機構を備える。その係止機構は、収容対象物と収容箱とに各々設けた係止体を備えている。それぞれの係止体は、各々、収容完了位置で収容対象物と収容箱との間の抜去方向の動きを係止し得る爪部等の係止部と、収容完了位置まで収容対象物を案内するガイドレールと、を有する。この種の接続構造は、例えば、下記の特許文献１及び２に開示されている。
【先行技術文献】
【特許文献】
【０００３】
【特許文献１】特開平１０−７０８１１号公報
【特許文献２】特開２００４−７２９４１号公報
【発明の概要】
【発明が解決しようとする課題】
【０００４】
ところで、収容対象物と収容箱は、合成樹脂で成形されるものであり、相互間の挿抜方向における何れか一方向に沿うように金型からの抜き取り方向が設定されている。また、収容対象物と収容箱は、係止体と共に成形されるので、金型からの抜き取り方向がガイドレールの延在方向（収容対象物の案内方向）に沿うように設定されている。よって、収容対象物と収容箱の壁面や端面等には、その抜き取り方向に沿う微小の傾斜角度で金型の抜き勾配が設けられている。その壁面や端面等は、金型の抜き勾配に応じて傾いた傾斜面となる。ここで、収容対象物は、自らの形状についても金型からの抜き取り方向を決める際の要素となるので、収容箱への挿入方向に抜き取られるものもあれば、収容箱からの抜去方向に抜き取られるものもある。金型からの抜き取り方向は、これと同様に、収容箱についても自らの形状に依存して決まる。よって、互いに案内し合うガイドレール同士においては、必ずしも双方の傾斜面が平行な状態で対向配置されるとは限らず、それぞれの傾斜面の間の各位置での隙間に大小の差が生じている可能性がある。例えば、それぞれの傾斜面は、互いに逆向きに傾いた状態で対向配置されている場合、相互間の各位置での隙間に大小の差が生じてしまう。また、それぞれの傾斜面は、互いに同じ向きに傾いた状態で対向配置されていたとしても、その傾斜角度が違うものであれば、相互間の各位置での隙間に大小の差が生じてしまう。故に、従来の係止機構においては、係止体同士を挿入及び嵌合させることができたとしても、それぞれのガイドレールの傾斜面の間でがたつきを発生させてしまう虞がある。また、従来の係止機構においては、収容対象物が収容完了位置に到達する前にそれぞれのガイドレールの傾斜面同士が当接し、係止体同士の挿入作業性を低下させてしまう虞がある。
【０００５】
そこで、本発明は、挿入作業性を向上させつつがたつきを抑え得る収容対象物の接続構造、電気接続箱及びワイヤハーネスを提供することを、その目的とする。
【課題を解決するための手段】
【０００６】
上記目的を達成する為、本発明に係る収容対象物の接続構造は、収容対象物を収容箱の収容完了位置で係止する係止機構を備える。そして、前記係止機構は、前記収容対象物が前記収容完了位置のときに互いに係止し合うことで前記収容対象物と前記収容箱との間の抜去方向の動きを係止する第１及び第２の係止体と、前記第１及び第２の係止体が互いに係止可能な位置に到達するまで前記収容対象物の前記収容箱への挿入方向に沿って互いに案内し合う第１及び第２のガイドレールと、前記第１及び第２の係止体が互いに係止可能な位置に到達するまで前記挿入方向に沿って互いに案内し合う第３及び第４のガイドレールと、を備え、前記第１及び第３のガイドレールは、前記挿入方向に対する直交方向で前記第１係止体を間に介在させるように配置すると共に、前記挿入方向に延在し且つ前記挿入方向に向かうに連れて前記第１係止体側に傾斜させたガイド面を各々有し、前記第２及び第４のガイドレールは、前記挿入方向に対する直交方向で前記第２係止体を間に介在させるように配置すると共に、前記挿入方向に延在し且つ前記挿入方向に向かうに連れて前記第２係止体側に傾斜させたガイド面を各々有し、前記第１及び第２のガイドレールのそれぞれの前記ガイド面は、前記収容対象物が前記収容完了位置のときに互いに平行状態で対向配置されるように形成し、前記第３及び第４のガイドレールのそれぞれの前記ガイド面は、前記収容対象物が前記収容完了位置のときに互いに平行状態で対向配置されるように形成し、全ての前記ガイド面は、前記第１及び第２の係止体並びに前記第１から第４のガイドレールにおける金型の抜き勾配よりも大きく、かつ、対となる前記ガイドレール同士の案内動作が可能な最大傾斜角度以下の傾斜角度で傾斜させることを特徴としている。
【０００７】
ここで、前記第２ガイドレールの前記ガイド面と前記第４ガイドレールの前記ガイド面の間には、前記第１係止体並びに前記第１及び第３のガイドレールが挿入される挿入口を形成し、全ての前記ガイド面の傾斜角度は、更に、前記収容対象物が前記収容完了位置のときの前記第１及び第２のガイドレールの前記ガイド面同士の隙間と前記第３及び第４のガイドレールの前記ガイド面同士の隙間の合計値が０．６ｍｍ以上で、かつ、前記第２及び第４のガイドレールにおけるそれぞれの前記ガイド面の前記挿入口での間隔と前記挿入口に到達した前記第１及び第３のガイドレールにおけるそれぞれの前記ガイド面の前記挿入口での間隔との差が２ｍｍ以下となる大きさに設定することが望ましい。
【０００８】
また、全ての前記ガイド面の傾斜角度は、３度以上、１５度以下の範囲内で設定することが望ましい。
【０００９】
また、上記目的を達成する為、本発明に係る電気接続箱は、収容対象物と、前記収容対象物を収容する収容箱と、前記収容対象物を前記収容箱の収容完了位置で係止する係止機構と、を備える。前記収容対象物は、前記収容箱の内部で電線の一端側に電気的に接続される電子部品又は前記電子部品を収容及び保持する電子部品保持体である。そして、前記係止機構は、前記収容対象物が前記収容完了位置のときに互いに係止し合うことで前記収容対象物と前記収容箱との間の抜去方向の動きを係止する第１及び第２の係止体と、前記第１及び第２の係止体が互いに係止可能な位置に到達するまで前記収容対象物の前記収容箱への挿入方向に沿って互いに案内し合う第１及び第２のガイドレールと、前記第１及び第２の係止体が互いに係止可能な位置に到達するまで前記挿入方向に沿って互いに案内し合う第３及び第４のガイドレールと、を備え、前記第１及び第３のガイドレールは、前記挿入方向に対する直交方向で前記第１係止体を間に介在させるように配置すると共に、前記挿入方向に延在し且つ前記挿入方向に向かうに連れて前記第１係止体側に傾斜させたガイド面を各々有し、前記第２及び第４のガイドレールは、前記挿入方向に対する直交方向で前記第２係止体を間に介在させるように配置すると共に、前記挿入方向に延在し且つ前記挿入方向に向かうに連れて前記第２係止体側に傾斜させたガイド面を各々有し、前記第１及び第２のガイドレールのそれぞれの前記ガイド面は、前記収容対象物が前記収容完了位置のときに互いに平行状態で対向配置されるように形成し、前記第３及び第４のガイドレールのそれぞれの前記ガイド面は、前記収容対象物が前記収容完了位置のときに互いに平行状態で対向配置されるように形成し、全ての前記ガイド面は、前記第１及び第２の係止体並びに前記第１から第４のガイドレールにおける金型の抜き勾配よりも大きく、かつ、対となる前記ガイドレール同士の案内動作が可能な最大傾斜角度以下の傾斜角度で傾斜させることを特徴としている。
【００１０】
また、上記目的を達成する為、本発明に係るワイヤハーネスは、電線と、収容対象物と、前記収容対象物及び前記電線の一端側を内部に収容すると共に前記電線の他端側を外部に引き出す収容箱と、前記収容対象物を前記収容箱の収容完了位置で係止する係止機構と、を備える。前記収容対象物は、前記収容箱の内部で前記電線の一端側に電気的に接続される電子部品又は前記電子部品を収容及び保持する電子部品保持体である。そして、前記係止機構は、前記収容対象物が前記収容完了位置のときに互いに係止し合うことで前記収容対象物と前記収容箱との間の抜去方向の動きを係止する第１及び第２の係止体と、前記第１及び第２の係止体が互いに係止可能な位置に到達するまで前記収容対象物の前記収容箱への挿入方向に沿って互いに案内し合う第１及び第２のガイドレールと、前記第１及び第２の係止体が互いに係止可能な位置に到達するまで前記挿入方向に沿って互いに案内し合う第３及び第４のガイドレールと、を備え、前記第１及び第３のガイドレールは、前記挿入方向に対する直交方向で前記第１係止体を間に介在させるように配置すると共に、前記挿入方向に延在し且つ前記挿入方向に向かうに連れて前記第１係止体側に傾斜させたガイド面を各々有し、前記第２及び第４のガイドレールは、前記挿入方向に対する直交方向で前記第２係止体を間に介在させるように配置すると共に、前記挿入方向に延在し且つ前記挿入方向に向かうに連れて前記第２係止体側に傾斜させたガイド面を各々有し、前記第１及び第２のガイドレールのそれぞれの前記ガイド面は、前記収容対象物が前記収容完了位置のときに互いに平行状態で対向配置されるように形成し、前記第３及び第４のガイドレールのそれぞれの前記ガイド面は、前記収容対象物が前記収容完了位置のときに互いに平行状態で対向配置されるように形成し、全ての前記ガイド面は、前記第１及び第２の係止体並びに前記第１から第４のガイドレールにおける金型の抜き勾配よりも大きく、かつ、対となる前記ガイドレール同士の案内動作が可能な最大傾斜角度以下の傾斜角度で傾斜させることを特徴としている。
【発明の効果】
【００１１】
本発明に係る収容対象物の接続構造において、係止機構では、収容対象物を収容箱へと挿入しているときに、第１係止体側の第１及び第３のガイドレールの先端（挿入方向側の先端）が第２係止体側の第２及び第４のガイドレールの成す挿入口に到達する。この係止機構においては、第１係止体側と第２係止体側との係合が始まるときの間口（挿入口）が広く取られている。故に、この係止機構においては、挿入口が第１及び第３のガイドレールの先端を拾い易くなっている。よって、この係止機構は、第１係止体側と第２係止体側との間の挿入作業性に優れたものとなっているので、収容対象物の収容箱への挿入作業性を向上させることができる。更に、この係止機構は、収容完了位置において、第１係止体側の第１及び第３のガイドレールと第２係止体側の第２及び第４のガイドレールとが成す隙間を狭めることができ、その間のがたつきを抑えることができる。このように、本発明に係る収容対象物の接続構造においては、第１係止体側と第２係止体側とが係合し始めるときの互いの挿入作業が行われ易くなっている。更に、この接続構造においては、第１係止体と第２係止体とが係止可能な状態になっているときに、第１係止体側の第１及び第３のガイドレールと第２係止体側の第２及び第４のガイドレールとの間のがたつきが抑制されている。従って、この接続構造は、収容対象物の収容箱への挿入作業性を向上させつつ、この収容対象物と収容箱との間のがたつきを抑えることができる。また、本発明に係る電気接続箱とワイヤハーネスは、その接続構造を備えるものであるので、その接続構造の効果を奏することができる。
【図面の簡単な説明】
【００１２】
【図１】図１は、実施形態の電気接続箱とワイヤハーネスを示す斜視図であり、収容箱の内方を第２筐体部材側から透視した状態を表している。
【図２】図２は、収容箱（第１筐体部材）から電子部品保持体が抜き取られた状態を示す斜視図である。
【図３】図３は、収容箱（第１筐体部材）から電子部品保持体が抜き取られた状態を別角度から見た斜視図である。
【図４】図４は、収容箱（第１筐体部材）と収容箱（第１筐体部材）に収容された一部の電子部品保持体とを第１開口側から見た平面図である。
【図５】図５は、第１係止体並びに第１及び第３のガイドレールを示す斜視図である。
【図６】図６は、第２係止体並びに第２及び第４のガイドレールを示す斜視図である。
【図７】図７は、図４のＸ−Ｘ線断面であって、係止機構を拡大して表している。
【図８】図８は、図５のＸ１−Ｘ１線断面である。
【図９】図９は、図６のＸ２−Ｘ２線断面である。
【図１０】図１０は、第１及び第３のガイドレールの先端が第２及び第４のガイドレールの挿入口に到達したときの係止機構の断面図である。
【発明を実施するための形態】
【００１３】
以下に、本発明に係る収容対象物の接続構造、電気接続箱及びワイヤハーネスの実施形態を図面に基づいて詳細に説明する。尚、この実施形態によりこの発明が限定されるものではない。
【００１４】
［実施形態］
本発明に係る収容対象物の接続構造、電気接続箱及びワイヤハーネスの実施形態の１つを図１から図１０に基づいて説明する。
【００１５】
図１の符号１は、本実施形態の電気接続箱を示す。また、図１の符号ＷＨは、その電気接続箱１を備えた本実施形態のワイヤハーネスを示す。
【００１６】
本実施形態の電気接続箱１は、収容箱１０と、この収容箱１０に収容される少なくとも１つの収容対象物２０と、を備える（図１から図３）。
【００１７】
収容箱１０は、合成樹脂等の絶縁性材料で成形する。この収容箱１０は、収容室１１を少なくとも１つ有する（図１から図３）。その収容室１１は、収容対象物２０を収容するための部屋である。１つの収容室１１には、少なくとも１つの収容対象物２０が収容される。また、この収容箱１０は、収容室１１に連通させた開口１２を少なくとも１つ有する（図１から図３）。開口１２は、収容対象物２０を収容室１１に収容する際の挿入口である。この収容箱１０においては、電線（電力供給線や信号線等）Ｗｅの一端側が内部の収容室１１に収容され、かつ、この電線Ｗｅの他端側が内部の収容室１１から外部に引き出される。よって、この収容箱１０は、電線Ｗｅを内部から外部に引き出すための引出口１３を少なくとも１つ有する（図１）。尚、図１では、複数本存在している電線Ｗｅの中の一部を図示している。
【００１８】
収容対象物２０は、開口１２から挿入して収容室１１に収容される。この電気接続箱１での収容対象物２０としては、電線Ｗｅの一端側に電気的に接続される電子部品、又は、この電子部品を収容及び保持する電子部品保持体等が考えられる。本実施形態の電気接続箱１とは、収容箱１０を備えると共に、電子部品と電子部品保持体の内の少なくとも一方を収容対象物２０として備え、電子部品に対して電線Ｗｅを介して接続対象物（図示略）を電気的に接続させるものである。この電気接続箱１においては、収容箱１０の内部で電線Ｗｅが電子部品に対して電気的に接続されており、その収容箱１０の内部から外部に引き出された電線Ｗｅを介して電子部品が接続対象物に対して電気的に接続される。電気接続箱１は、その電線Ｗｅと共にワイヤハーネスＷＨを成す。
【００１９】
ここで、電子部品とは、例えば、リレー、ヒューズ等の回路保護部品、コネクタ、端子金具などのことを指している。ここでは、回路基板、電子制御ユニット（いわゆるＥＣＵ）等の電子機器についても、電子部品の一形態として考える。また、接続対象物とは、二次電池などの電源、電気機器（アクチュエータ等）などの負荷、センサなどのことを指している。電気接続箱１においては、例えば、或る電線Ｗｅが電源に対して電気的に接続され、かつ、これとは別の電線Ｗｅが負荷に対して電気的に接続されており、その電源と負荷とを電子部品を介して電気的に繋いでいる。
【００２０】
具体的に、この例示の収容箱１０は、第１筐体部材１０Ａと第２筐体部材１０Ｂと第３筐体部材１０Ｃの３つの部材を組み立てて形成される（図１）。
【００２１】
第１筐体部材１０Ａは、収容箱１０の主体部分を成すものであり、収容室１１及び開口１２を有する（図１から図３）。この第１筐体部材１０Ａは、対向配置された２つの開口１２（第１開口１２Ａ，第２開口１２Ｂ）を両端に有する箱体であり、所謂フレームと称されることがある。この第１筐体部材１０Ａにおいては、収容室１１が複数形成されており、それぞれの収容室１１に収容対象物２０が収容される。
【００２２】
この第１筐体部材１０Ａにおいては、収容対象物２０としての電子部品と収容対象物２０としての電子部品保持体に収容及び保持される電子部品とが第１開口１２Ａから挿入される。一方、収容対象物２０としての電子部品保持体は、第２開口１２Ｂから挿入される。電線Ｗｅは、その第２開口１２Ｂを介して収容室１１から引き出され、引出口１３に案内される。
【００２３】
第２筐体部材１０Ｂは、第１開口１２Ａを塞ぐカバー部材であり、第１開口１２Ａ側から第１筐体部材１０Ａに取り付ける。また、第３筐体部材１０Ｃは、第２開口１２Ｂを塞ぐカバー部材であり、第２開口１２Ｂ側から第１筐体部材１０Ａに取り付ける。
【００２４】
このように、本実施形態の電気接続箱１は、複数の収容室１１と複数の収容対象物２０を備えており、その収容対象物２０として電子部品と電子部品保持体とが収容されている。よって、この電気接続箱１の具体例の説明を行うに際しては、収容対象物２０の一例として電子部品保持体を挙げることにする。ここでは、或る１つの収容室１１Ａと電子部品保持体２０Ａとに着目する（図１から図３）。
【００２５】
電子部品保持体２０Ａは、合成樹脂等の絶縁性材料で成形する。この例示の電子部品保持体２０Ａは、複数の電子部品を収容及び保持できるように形成している。この電子部品保持体２０Ａは、ブロックやカセットなどと称されることがある。
【００２６】
この例示の電子部品保持体２０Ａは、第２開口１２Ｂから収容室１１Ａの収容完了位置まで挿入される一方、その収容室１１Ａから第２開口１２Ｂを介して挿入時とは逆方向に抜き去ることもできる。電子部品保持体２０Ａは、その収容室１１Ａに対する挿抜方向に沿って成形用の金型（図示略）から抜き取られる。この電子部品保持体２０Ａは、収容室１１Ａに対する抜去方向に沿って金型から抜き取られる。よって、この電子部品保持体２０Ａは、収容室１１Ａに対する挿抜方向に見て、挿入方向側に向かうほど内方側に傾斜させた金型の抜き勾配が設けられている。つまり、この電子部品保持体２０Ａにおいては、その挿抜方向に沿う壁面や端面等が、金型の抜き勾配に応じて傾いた傾斜面（挿入方向側に向かうほど内方側に傾斜させた傾斜面）となる。その傾斜面の挿抜方向に対する傾斜角度は、例えば、０．５度以上、１度以下の範囲内で設定する。
【００２７】
収容室１１Ａが形成される第１筐体部材１０Ａは、第１開口１２Ａと第２開口１２Ｂとを繋ぐ複数の壁体（外周壁や内壁）を有している。ここでは、その第１開口１２Ａと第２開口１２Ｂとを繋ぐ方向で且つその壁体に沿う方向を電子部品保持体２０Ａの挿抜方向に一致させている。第１筐体部材１０Ａは、その方向に沿って成形用の金型（図示略）から抜き取られる。この第１筐体部材１０Ａは、収容室１１Ａに対する電子部品保持体２０Ａの挿入方向に沿って金型から抜き取られる。よって、この第１筐体部材１０Ａは、収容室１１Ａに対する電子部品保持体２０Ａの挿抜方向に見て、挿入方向側に向かうほど内方側に傾斜させた金型の抜き勾配が設けられている。つまり、この第１筐体部材１０Ａにおいても、その挿抜方向に沿う壁面や端面等は、金型の抜き勾配に応じて傾いた傾斜面（挿入方向側に向かうほど内方側に傾斜させた傾斜面）となる。その傾斜面の挿抜方向に対する傾斜角度は、例えば、０．５度以上、１度以下の範囲内で設定する。
【００２８】
この電気接続箱１において、収容室１１Ａは、電子部品保持体２０Ａの収容が終わった際に電子部品保持体２０Ａに対して間隔を空けて対向配置される内壁面１５を複数有している（図２及び図３）。また、電子部品保持体２０Ａは、収容室１１Ａへの収容を終えた際に内壁面１５に対して間隔を空けて対向配置される外壁面２１を複数有している（図２及び図３）。その内壁面１５と外壁面２１は、各々、金型の抜き勾配に応じた傾斜面でもある。
【００２９】
この電気接続箱１は、収容完了位置まで挿入された電子部品保持体２０Ａを収容室１１Ａに接続するための接続構造（収容対象物の接続構造）を備える。その接続構造は、電子部品保持体２０Ａを収容箱１０の収容完了位置で係止する係止機構３０（図２から図６）を備える。
【００３０】
係止機構３０は、電子部品保持体２０Ａが収容完了位置のときに互いに係止し合う第１及び第２の係止体３１，３２を備える（図２、図３、図５及び図６）。その第１係止体３１と第２係止体３２は、収容完了位置で互いに係止し合うことによって、電子部品保持体２０Ａと収容箱１０（第１筐体部材１０Ａの収容室１１Ａ）との間の抜去方向の動きを係止する。
【００３１】
この係止機構３０においては、電子部品保持体２０Ａと収容箱１０の内の一方に第１係止体３１を設け、その内の他方に第２係止体３２を設ける。具体的には、対となる外壁面２１と内壁面１５の内の一方に第１係止体３１を設け、その内の他方に第２係止体３２を設ける。ここでは、外壁面２１に第１係止体３１を設け、内壁面１５に第２係止体３２を設けている。この電気接続箱１においては、対となる外壁面２１と内壁面１５の組み合わせが複数組設けられており、その内の少なくとも２組に係止機構３０を各々設ける。この電気接続箱１においては、全ての係止機構３０の内の少なくとも１つが下記に示す構造のものであればよい。
【００３２】
第１係止体３１と第２係止体３２は、例えば、収容完了位置で互いの抜去方向の動きを係止させるように当接し合うことが可能な爪部を係止部３１ａ，３２ａとして有する（図５及び図６）。また、第１係止体３１と第２係止体３２の内の少なくとも一方は、外力によって撓ませることができるように可撓性を持たせている。ここでは、第１係止体３１に可撓性を持たせている。第１係止体３１は、外壁面２１側を根元とする片持ちとなるように形成し、かつ、自由端側の係止部３１ａと共に係止部３１ａと外壁面２１との間の間隔を変えられるように形成している。よって、この第１係止体３１は、電子部品保持体２０Ａを収容室１１Ａへと挿入しているときに、第２係止体３２によって外壁面２１側に押動されて撓むので、この第２係止体３２の係止部３２ａを乗り越えさせることができる。第１係止体３１を乗り越えた係止部３２ａは、挿抜方向で係止部３１ａに対向配置され、この係止部３１ａとの間での係止が可能な状態となる。また、この第１係止体３１は、治具等で外壁面２１側に押動しても撓ませることができ、その撓みの発生と共に、それぞれの係止部３１ａ，３２ａの対向配置状態（係止可能状態）を解除することができる。電子部品保持体２０Ａは、その係止可能状態の解除と共に、収容室１１Ａから抜き去ることができる。
【００３３】
更に、係止機構３０は、第１及び第２の係止体３１，３２が互いに係止可能な位置に到達するまで電子部品保持体２０Ａの収容箱１０（第１筐体部材１０Ａの収容室１１Ａ）への挿入方向に沿って互いに案内し合う第１及び第２のガイドレール３３，３４と、第１及び第２の係止体３１，３２が互いに係止可能な位置に到達するまで挿入方向に沿って互いに案内し合う第３及び第４のガイドレール３５，３６と、を備える（図２、図３及び図５から図７）。
【００３４】
この係止機構３０においては、電子部品保持体２０Ａと収容箱１０の内の一方に第１及び第３のガイドレール３３，３５を設け、その内の他方に第２及び第４のガイドレール３４，３６を設ける。具体的には、対となる外壁面２１と内壁面１５の内の一方に第１及び第３のガイドレール３３，３５を設け、その内の他方に第２及び第４のガイドレール３４，３６を設ける。ここでは、外壁面２１に第１及び第３のガイドレール３３，３５を設け、内壁面１５に第２及び第４のガイドレール３４，３６を設けている。
【００３５】
第１及び第３のガイドレール３３，３５は、電子部品保持体２０Ａの挿入方向に対する直交方向で第１係止体３１を間に介在させるように配置する。この第１及び第３のガイドレール３３，３５は、その挿入方向に延在しているガイド面３３ａ，３５ａを各々少なくとも１つずつ有している（図５、図７及び図８）。第１ガイドレール３３のガイド面３３ａとは、電子部品保持体２０Ａを収容箱１０へと挿入する際に、その挿入方向に沿って第２ガイドレール３４の後述するガイド面３４ａとの間で互いに案内し合う壁面又は端面のことである。第３ガイドレール３５のガイド面３５ａとは、電子部品保持体２０Ａを収容箱１０へと挿入する際に、その挿入方向に沿って第４ガイドレール３６の後述するガイド面３６ａとの間で互いに案内し合う壁面又は端面のことである。それぞれのガイド面３３ａ，３５ａは、その挿入方向に向かうに連れて第１係止体３１側に傾斜させた傾斜面となっている。
【００３６】
第２及び第４のガイドレール３４，３６は、電子部品保持体２０Ａの挿入方向に対する直交方向で第２係止体３２を間に介在させるように配置する。この第２及び第４のガイドレール３４，３６は、その挿入方向に延在しているガイド面３４ａ，３６ａを各々少なくとも１つずつ有している（図６、図７及び図９）。それぞれのガイド面３４ａ，３６ａは、その挿入方向に向かうに連れて第２係止体３２側に傾斜させた傾斜面となっている。ここで、この第２ガイドレール３４のガイド面３４ａと第４ガイドレール３６のガイド面３６ａとの間には、第１係止体３１並びに第１及び第３のガイドレール３３，３５が挿入される挿入口３７を形成している。電子部品保持体２０Ａを収容箱１０へと挿入する際には、その挿入口３７から第１係止体３１並びに第１及び第３のガイドレール３３，３５が挿入されていく。
【００３７】
対となる第１及び第２のガイドレール３３，３４のそれぞれのガイド面３３ａ，３４ａは、電子部品保持体２０Ａが収容完了位置のときに、互いに平行状態で対向配置されるように形成する（図７）。また、対となる第３及び第４のガイドレール３５，３６のそれぞれのガイド面３５ａ，３６ａは、電子部品保持体２０Ａが収容完了位置のときに、互いに平行状態で対向配置されるように形成する（図７）。
【００３８】
更に、全てのガイド面３３ａ，３４ａ，３５ａ，３６ａは、第１及び第２の係止体３１，３２並びに第１から第４のガイドレール３３−３６における金型の抜き勾配よりも大きく、かつ、対となるガイドレール同士（第１及び第２のガイドレール３３，３４、第３及び第４のガイドレール３５，３６）の案内動作が可能な最大傾斜角度以下の傾斜角度θで傾斜させる（図８及び図９）。例えば、全てのガイド面３３ａ，３４ａ，３５ａ，３６ａの傾斜角度θは、３度以上、１５度以下の範囲内で設定する。尚、ここで云う案内動作が可能な傾斜角度θとは、対となるガイド面同士（ガイド面３３ａ，３４ａ同士、ガイド面３５ａ，３６ａ同士）が互いの壁面に沿って案内し合いながら、電子部品保持体２０Ａを収容完了位置まで到達させることができる角度のことであり、対となるガイド面同士が単に近づいていくだけであったり当接するだけであったりするものを除外する意味を持つ。全てのガイド面３３ａ，３４ａ，３５ａ，３６ａは、次のようにして電子部品保持体２０Ａの挿抜方向に対する傾斜角度θを設定してもよい。
【００３９】
例えば、ここでは、第２及び第４のガイドレール３４，３６におけるそれぞれのガイド面３４ａ，３６ａの挿入口３７での間隔Ｓ１と、その挿入口３７に到達した第１及び第３のガイドレール３３，３５におけるそれぞれのガイド面３３ａ，３５ａの挿入口３７での間隔Ｓ２（＜Ｓ１）と、を利用する（図１０）。更に、ここでは、電子部品保持体２０Ａが収容完了位置のときのガイド面３３ａ，３４ａ同士の隙間Ｇ１｛＜（Ｄ１／２）｝と、電子部品保持体２０Ａが収容完了位置のときのガイド面３５ａ，３６ａ同士の隙間Ｇ２｛＜（Ｄ１／２）｝と、を利用する（図７）。その隙間Ｇ１，Ｇ２は、電子部品保持体２０Ａが収容完了位置に配置されているときの隙間であり、電子部品保持体２０Ａの挿抜方向に対する直交方向に沿う同じ大きさのものとする。全てのガイド面３３ａ，３４ａ，３５ａ，３６ａの傾斜角度θは、それぞれの隙間Ｇ１，Ｇ２の合計値が所定の大きさ（例えば、０．６ｍｍ）以上で、かつ、間隔Ｓ１と間隔Ｓ２との差Ｄ１（＝Ｓ１−Ｓ２）が所定の大きさ（例えば、２ｍｍ）以下で、かつ、例えば第１から第４のガイドレール３３−３６におけるガイド面３３ａ，３４ａ，３５ａ，３６ａ以外の場所の金型の抜き勾配よりも大きく、かつ、対となるガイドレール同士（第１及び第２のガイドレール３３，３４、第３及び第４のガイドレール３５，３６）の案内動作が可能な最大傾斜角度以下となる大きさに設定する。
【００４０】
この係止機構３０においては、電子部品保持体２０Ａを収容箱１０へと挿入しているときに、先ず、第１係止体３１側の第１及び第３のガイドレール３３，３５の先端（挿入方向側の先端）が第２係止体３２側の第２及び第４のガイドレール３４，３６の成す挿入口３７に到達する。この係止機構３０においては、その挿入口３７への到達と共に、第１係止体３１側と第２係止体３２側との係合が始まる。この係止機構３０においては、第１係止体３１側と第２係止体３２側との係合が始まるときの間口（挿入口３７）が広く取られている。例えば、この係合が開始したときには、先に示したように、挿入口３７において、差Ｄ１の分だけ隙間が空いている。故に、この係止機構３０においては、挿入口３７が第１及び第３のガイドレール３３，３５の先端を拾い易くなっている。よって、この係止機構３０は、第１係止体３１側と第２係止体３２側との間の挿入作業性に優れたものとなっているので、電子部品保持体２０Ａの収容箱１０への挿入作業性を向上させることができる。また、この係止機構３０は、その間口の広さ故に、電子部品保持体２０Ａが所期の挿入方向に対して傾きながら挿入し始めたとしても、第１係止体３１側の第１及び第３のガイドレール３３，３５と第２係止体３２側の第２及び第４のガイドレール３４，３６との間の噛み込みが発生し難くなっている。よって、この係止機構３０は、電子部品保持体２０Ａの挿入作業をそのまま続けていくことができる。
【００４１】
続いて、この係止機構３０においては、電子部品保持体２０Ａの収容箱１０への挿入作業が進行し、電子部品保持体２０Ａが収容完了位置に到達することによって、第１係止体３１と第２係止体３２とが係止可能な状態となる。その収容完了位置では、第２及び第４のガイドレール３４，３６のガイド面３４ａ，３６ａの間隔Ｓ３と第１及び第３のガイドレール３３，３５のガイド面３３ａ，３５ａの間隔Ｓ４（＜Ｓ３）との間に差Ｄ２（＝Ｓ３−Ｓ４）が生じている（図７）。その間隔Ｓ３，Ｓ４は、電子部品保持体２０Ａの挿抜方向に対する直交方向に沿うものである。収容完了位置では、挿抜方向における各位置で間隔Ｓ３，Ｓ４が異なるが、その各位置で差Ｄ２が同じ大きさになっている。その差Ｄ２は、先に示した隙間Ｇ１，Ｇ２の合計値を表している。つまり、収容完了位置では、第１係止体３１側の第１及び第３のガイドレール３３，３５と第２係止体３２側の第２及び第４のガイドレール３４，３６とが成す隙間（隙間Ｇ１，Ｇ２の合計値）が狭められており、その間のがたつきを抑えることができる。
【００４２】
以上示したように、本実施形態の収容対象物２０の接続構造においては、第１係止体３１側と第２係止体３２側とが係合し始めるときの互いの挿入作業が行われ易くなっている。更に、この接続構造においては、第１係止体３１と第２係止体３２とが係止可能な状態になっているときに、第１係止体３１側の第１及び第３のガイドレール３３，３５と第２係止体３２側の第２及び第４のガイドレール３４，３６との間のがたつきが抑制されている。従って、この接続構造は、収容対象物２０（電子部品保持体２０Ａ）の収容箱１０への挿入作業性を向上させつつ、この収容対象物２０と収容箱１０との間のがたつきを抑えることができる。また、本実施形態の電気接続箱１とワイヤハーネスＷＨは、その接続構造を備えるものであるので、その接続構造の効果を奏することができる。
【符号の説明】
【００４３】
１  電気接続箱
１０  収容箱
２０  収容対象物
２０Ａ  電子部品保持体
３０  係止機構
３１  第１係止体
３２  第２係止体
３３  第１ガイドレール
３４  第２ガイドレール
３５  第３ガイドレール
３６  第４ガイドレール
３３ａ，３４ａ，３５ａ，３６ａ  ガイド面
３７  挿入口
Ｄ１  差
Ｇ１，Ｇ２  隙間
Ｓ１，Ｓ２  間隔
Ｗｅ  電線
ＷＨ  ワイヤハーネス
【図１】
2019068636.tif 000003
【図２】
2019068636.tif 000004
【図３】
2019068636.tif 000005
【図４】
2019068636.tif 000006
【図５】
2019068636.tif 000007
【図６】
2019068636.tif 000008
【図７】
2019068636.tif 000009
【図８】
2019068636.tif 000010
【図９】
2019068636.tif 000011
【図１０】
2019068636.tif 000012